(57)【要約】【課題】逆潮流を検出した後に、解列のための開閉器がチャタリングを起こしてしまうのを防ぐことができる蓄電システムを提供する。【解決手段】発電手段Ｓおよび蓄電池Ｂからの直流入力電力を交流出力電力に変換して出力するＤＣ／ＡＣ動作と、系統Ｇからの交流入力電力を直流出力電力に変換して出力するＡＣ／ＤＣ動作とを行うＤＣ／ＡＣインバータ４と、ＤＣ／ＡＣインバータ４と特定負荷Ｒ１とを接続する第１電力線Ｌ１と、第１電力線Ｌ１から分岐して一般負荷Ｒ２および系統Ｇに接続される第２電力線Ｌ２と、逆電力継電器ＲＰＲと、逆電力継電器ＲＰＲで逆潮流が検出されたときに開く開閉器５と、少なくともＤＣ／ＡＣインバータ４を制御する制御部７Ａとを備え、制御部７Ａは、逆電力継電器ＲＰＲで逆潮流が検出されて開閉器５が開くと、開閉器５が再び閉じた後に逆電力継電器ＲＰＲで逆潮流が検出されないように交流出力電力を制限することを特徴とする。【選択図】図１
2014158389.tif 000002
【特許請求の範囲】
【請求項１】
発電手段および蓄電池からの直流入力電力を交流出力電力に変換して特定負荷および一般負荷に供給するＤＣ／ＡＣ動作と、系統からの交流入力電力を直流出力電力に変換して前記蓄電池に供給するＡＣ／ＤＣ動作とを行うＤＣ／ＡＣインバータと、
前記ＤＣ／ＡＣインバータと前記特定負荷とを接続する第１電力線と、
前記第１電力線から分岐して前記一般負荷および前記系統に接続される第２電力線と、
前記系統への逆潮流を検出するための逆電力継電器と、
前記逆電力継電器で逆潮流が検出されたときに開く、前記第２電力線に介装された開閉器と、
少なくとも前記ＤＣ／ＡＣインバータの前記ＤＣ／ＡＣ動作を制御する制御部と、
を備えた蓄電システムであって、
前記制御部は、前記逆電力継電器で逆潮流が検出されて前記開閉器が開くと、前記開閉器が再び閉じた後に前記逆電力継電器で逆潮流が検出されないように、前記交流出力電力を制限しながら前記ＤＣ／ＡＣ動作を制御することを特徴とする蓄電システム。
【請求項２】
前記第１電力線の電力を測定する第１電力測定手段をさらに備え、
前記制御部は、前記交流出力電力が前記第１電力測定手段で測定された電力を超えないように前記交流出力電力を制限することを特徴とする請求項１に記載の蓄電システム。
【請求項３】
前記一般負荷と前記系統の間において前記第２電力線の電力を測定する第２電力測定手段をさらに備え、
前記制御部は、前記第２電力測定手段で測定される電力のうち前記第２電力線を通じて前記系統に回生される回生電力が、前記逆電力継電器で逆潮流が検出されるときの電力値を超えないように、前記交流出力電力を制限することを特徴とする請求項１に記載の蓄電システム。
【請求項４】
前記逆電力継電器は、前記第２電力線を通じて前記系統に回生される回生電力が予め設定された第１閾値以上のときに逆潮流が発生しているとして、逆潮流を検出する第１逆電力継電器であり、
前記回生電力が前記第１閾値よりも低く設定された第２閾値以上のときに、前記制御部に検出信号を出力する第２逆電力継電器をさらに備え、
前記制御部は、前記検出信号が入力される度に前記交流出力電力を予め決められた規則に従って低下させることで、前記交流出力電力を制限することを特徴とする請求項１に記載の蓄電システム。
【発明の詳細な説明】
【技術分野】
【０００１】
本発明は、蓄電システムに関する。
【背景技術】
【０００２】
従来の蓄電システムとして、例えば特許文献１には図５に示す蓄電システム１０１が開示されている。同図に示すように、蓄電システム１０１は、ＡＣ側が系統Ｇおよび特定負荷Ｒ１に接続されたＤＣ／ＡＣインバータ１０４と、ＤＣ／ＡＣインバータ１０４のＤＣ側に一方のＤＣ側が接続されたＤＣ／ＤＣコンバータ１０３とからなるパワーコンディショナ装置１０２を備えている。
【０００３】
ＤＣ／ＤＣコンバータ１０３の他方のＤＣ側には太陽電池Ｓが接続されており、ＤＣ／ＤＣコンバータ１０３とＤＣ／ＡＣインバータ１０４とを接続する電力線には蓄電池Ｂが接続されている。また、ＤＣ／ＡＣインバータ１０４と系統Ｇとを接続する電力線には、スイッチ１０５が介装されている。
【０００４】
この蓄電システム１０１では、閉（オン）状態のスイッチ１０５を介して系統Ｇの電力が特定負荷Ｒ１および蓄電池Ｂに供給され、特定負荷Ｒ１が駆動されたり、蓄電池Ｂが充電されたりする。また、この蓄電システム１０１では、予め蓄えられた蓄電池Ｂの電力または太陽電池Ｓによって得られた電力が特定負荷Ｒ１に供給され、特定負荷Ｒ１において必要となる電力の全てが蓄電池Ｂまたは太陽電池Ｓによって賄われることもある。
【先行技術文献】
【特許文献】
【０００５】
【特許文献１】特開平６−２６６４５５号公報
【発明の概要】
【発明が解決しようとする課題】
【０００６】
ところで、上記蓄電システム１０１を含む従来の蓄電システムは、逆電力継電器をさらに備え、逆電力継電器により逆潮流（系統に電力が回生されること）が検出されると解列用スイッチ（図５のスイッチ１０５）が直ちに開（オフ）状態となるように構成されているのが一般的である。
【０００７】
開（オフ）状態となった解列用スイッチは、通常、所定時間（例えば、３００秒）経過後に閉（オン）状態に戻る。しかしながら、従来の蓄電システムでは、解列用スイッチを閉（オン）状態に戻した途端に逆電力継電器により再び逆潮流が検出される場合が多く、かかる場合、解列用スイッチは再び開（オフ）状態となる。このように、従来の蓄電システムでは、解列用スイッチの開閉動作の繰り返し（以下、チャタリング）が起こってしまうという問題があった。
【０００８】
本発明は上記事情に鑑みてなされたものであって、その課題とするところは、逆潮流を検出した後に、解列のためのスイッチ（開閉器）がチャタリングを起こしてしまうのを防ぐことができる蓄電システムを提供することにある。
【課題を解決するための手段】
【０００９】
上記課題を解決するために、本発明に係る蓄電システムは、（１）発電手段および蓄電池からの直流入力電力を交流出力電力に変換して特定負荷および一般負荷に供給するＤＣ／ＡＣ動作と、系統からの交流入力電力を直流出力電力に変換して蓄電池に供給するＡＣ／ＤＣ動作とを行うＤＣ／ＡＣインバータと、
ＤＣ／ＡＣインバータと特定負荷とを接続する第１電力線と、
第１電力線から分岐して一般負荷および系統に接続される第２電力線と、
系統への逆潮流を検出するための逆電力継電器と、
逆電力継電器で逆潮流が検出されたときに開く、第２電力線に介装された開閉器と、
少なくともＤＣ／ＡＣインバータのＤＣ／ＡＣ動作を制御する制御部と、
を備えた蓄電システムであって、
制御部は、逆電力継電器で逆潮流が検出されて開閉器が開くと、開閉器が再び閉じた後に逆電力継電器で逆潮流が検出されないように、交流出力電力を制限しながらＤＣ／ＡＣ動作を制御することを特徴とする。
【００１０】
この構成によれば、制御部は、逆電力継電器で逆潮流が検出されて開閉器が開くと、開閉器が再び閉じた後に逆電力継電器で逆潮流が検出されないように、交流出力電力を制限しながらＤＣ／ＡＣ動作を制御するので、開閉器がチャタリングを起こしてしまうのを防ぐことができる。
【００１１】
上記（１）の蓄電システムでは、（２）第１電力線の電力を測定する第１電力測定手段をさらに備えている場合、
制御部は、交流出力電力が第１電力測定手段で測定された電力を超えないように交流出力電力を制限するよう構成できる。
【００１２】
上記（１）の蓄電システムでは、（３）一般負荷と系統の間において第２電力線の電力を測定する第２電力測定手段をさらに備えている場合、
制御部は、第２電力測定手段で測定される電力のうち第２電力線を通じて系統に回生される回生電力が、逆電力継電器で逆潮流が検出されるときの電力値を超えないように、交流出力電力を制限するよう構成できる。
【００１３】
上記（１）の蓄電システムでは、（４）逆電力継電器は、第２電力線を通じて系統に回生される回生電力が予め設定された第１閾値以上のときに逆潮流が発生しているとして、逆潮流を検出する第１逆電力継電器であり、
回生電力が第１閾値よりも低く設定された第２閾値以上のときに、制御部に検出信号を出力する第２逆電力継電器をさらに備えている場合、
制御部は、検出信号が入力される度に交流出力電力を予め決められた規則に従って低下させることで、交流出力電力を制限するよう構成できる。
【発明の効果】
【００１４】
本発明によれば、逆潮流を検出した後に、解列のための開閉器がチャタリングを起こしてしまうのを防ぐことができる蓄電システムを提供することができる。
【図面の簡単な説明】
【００１５】
【図１】本発明の第１実施形態に係る蓄電システムのブロック図である。
【図２】本発明の第１実施形態に係る蓄電システムの状態遷移図である。
【図３】本発明の第２実施形態に係る蓄電システムのブロック図である。
【図４】本発明の第３実施形態に係る蓄電システムのブロック図である。
【図５】従来の蓄電システムのブロック図である。
【発明を実施するための形態】
【００１６】
以下、添付図面を参照して、本発明に係る蓄電システムの好ましい実施形態について説明する。
【００１７】
［第１実施形態］
（蓄電システムの構成）
図１に、本発明の第１実施形態に係る蓄電システム１Ａを示す。同図に示すように、蓄電システム１Ａは、パワーコンディショナ装置２Ａと、第１電力測定手段８と、逆電力継電器ＲＰＲとを備えている。
【００１８】
パワーコンディショナ装置２Ａは、太陽電池Ｓに接続されたＤＣ／ＤＣコンバータ３と、ＤＣ／ＡＣインバータ４と、ＤＣ／ＡＣインバータ４と一般負荷Ｒ２および系統Ｇとを接続する第２電力線Ｌ２と、第２電力線Ｌ２から分岐して特定負荷Ｒ１に接続された第１電力線Ｌ１と、ＤＣ／ＤＣコンバータ３とＤＣ／ＡＣインバータ４とを接続する第３電力線Ｌ３と、第３電力線Ｌ３から分岐して蓄電池Ｂに接続された第４電力線Ｌ４と、ＤＣ／ＤＣコンバータ３およびＤＣ／ＡＣインバータ４を制御する制御部７Ａとを備えている。
【００１９】
ＤＣ／ＡＣインバータ４は、太陽電池Ｓおよび蓄電池Ｂからの直流入力電力を交流出力電力に変換して特定負荷Ｒ１および一般負荷Ｒ２に供給するＤＣ／ＡＣ動作（回生動作）と、系統Ｇからの交流入力電力を直流出力電力に変換して蓄電池Ｂに供給するＡＣ／ＤＣ動作（力行動作）とを行う。ＤＣ／ＡＣインバータ４は、制御部７Ａにより設定された出力指令値に従って、ＤＣ／ＡＣ動作時に出力指令値に応じた交流出力電力を出力する。また、ＤＣ／ＡＣインバータ４は、ＡＣ／ＤＣ動作時に出力指令値に応じた直流出力電力を出力する。
【００２０】
第２電力線Ｌ２には、本発明の「開閉器」に相当する電磁接触器（ＭＣ）５が介装されている。また、第１電力線Ｌ１にも、電磁接触器（ＭＣ）６が介装されている。これらの電磁接触器５、６は、制御部７Ａの制御下で、開（オフ）状態と閉（オン）状態とに切り替わるよう構成されており、通常、閉（オン）状態とされている。
【００２１】
逆電力継電器ＲＰＲは、系統Ｇへの逆潮流を検出するものであり、逆潮流を検出すると制御部７Ａに検出信号を出力する。制御部７Ａは、逆電力継電器ＲＰＲからの検出信号が入力されると、電磁接触器５、６を開（オフ）状態に切り替える。これにより、パワーコンディショナ装置２Ａが系統Ｇから解列されるため、系統Ｇへの逆潮流が止まる。
【００２２】
第１電力測定手段８は、所定時間毎に第１電力線Ｌ１の電力、すなわち、その時間において特定負荷Ｒ１に供給されている電力を測定し、測定結果を制御部７Ａに出力する。制御部７Ａは、後述するように、第１電力測定手段８の測定結果に応じてＤＣ／ＡＣインバータ４の出力指令値を変更しつつ（交流出力電力を制限しつつ）、ＤＣ／ＡＣインバータ４のＤＣ／ＡＣ動作を制御する。
【００２３】
（蓄電システムの動作）
続いて、蓄電システム１Ａの動作について、図２に示す状態遷移図を参照しながら説明する。なお、この状態遷移図では、電磁接触器５、６、制御部７Ａ、第１電力測定手段８、逆電力継電器ＲＰＲ、太陽電池Ｓ、特定負荷Ｒ１、一般負荷Ｒ２、系統Ｇの図示を省略している。
【００２４】
状態１では、ＤＣ／ＤＣコンバータ３から出力された太陽電池Ｓの発電電力が、ＤＣ／ＡＣインバータ４のＡＣ側から交流出力電力として出力されている。ＤＣ／ＡＣインバータ４の出力指令値Ｐｓｅｔは、蓄電池Ｂに接続された第４電力線Ｌ４の電力がゼロになるように（蓄電池Ｂの放電電力がＤＣ／ＡＣインバータ４のＤＣ側に供給されないように）、太陽電池Ｓの全発電電力値（ＰＶ）に設定される。状態１では、蓄電池Ｂの残量は十分にあるものとする。
【００２５】
状態１において、蓄電池Ｂの残量が不足してくると、制御部７Ａは、ＤＣ／ＤＣコンバータ３を動作させたまま、ＤＣ／ＡＣインバータ４を停止させる。これにより、蓄電システム１Ａは状態２となる。状態２では、太陽電池Ｓの発電電力により蓄電池Ｂが充電される。
【００２６】
一方、状態１において、ＤＣ／ＡＣインバータ４の交流出力電力（＝太陽電池Ｓの全発電電力）が特定負荷Ｒ１および一般負荷Ｒ２の消費電力を超えると、超えた分の交流出力電力が系統Ｇに回生されるので、逆電力継電器ＲＰＲにより逆潮流が検出される。逆電力継電器ＲＰＲで逆潮流が検出されると、制御部７Ａは、電磁接触器５、６を開（オフ）状態にするとともにＤＣ／ＤＣコンバータ３およびＤＣ／ＡＣインバータ４を停止させる。これにより、蓄電システム１Ａは状態３となる。
【００２７】
状態３に移行してから所定時間（例えば、３００秒）が経過すると、制御部７Ａは、電磁接触器５、６を閉（オン）状態に戻すとともにＤＣ／ＡＣインバータ４をＤＣ／ＡＣ動作させる。これにより、蓄電システム１Ａは状態４となり、蓄電池Ｂの放電電力がＤＣ／ＡＣインバータ４のＡＣ側から交流出力電力として出力される。
【００２８】
状態４では、制御部７Ａは、逆電力継電器ＲＰＲで再び逆潮流が検出されないように出力指令値Ｐｓｅｔを変更して、交流出力電力を制限する。具体的には、出力指令値Ｐｓｅｔが第１電力測定手段８で測定された値、すなわち特定負荷Ｒ１の消費電力値（Ｌｏａｄ１）に設定される。このため、状態４では、逆電力継電器ＲＰＲで逆潮流が検出されることはなく、当然ながら、電磁接触器５、６がチャタリングを起こすこともない。なお、状態４では、ＤＣ／ＡＣインバータ４の交流出力電力は全て特定負荷Ｒ１に供給されるため、一般負荷Ｒ２には系統Ｇからの電力が供給されることとなる。
【００２９】
状態４において、蓄電池Ｂの残量が不足して蓄電池Ｂの放電電力で特定負荷Ｒ１の消費電力を賄うことができなくなると、蓄電池Ｂを充電するために、制御部７ＡはＤＣ／ＤＣコンバータ３を動作させる。これにより、蓄電システム１Ａは状態５となる。状態５では、太陽電池Ｓの発電電力の一部が充電電力として蓄電池Ｂに供給され、残りの発電電力がＤＣ／ＡＣインバータ４のＡＣ側から交流出力電力として出力される。状態５においても、出力指令値Ｐｓｅｔは特定負荷Ｒ１の消費電力値（Ｌｏａｄ１）に設定されるので、逆電力継電器ＲＰＲで再び逆潮流が検出されることはない。なお、状態５では、太陽電池Ｓが、特定負荷Ｒ１の消費電力を賄えるだけの電力を発電しているものとする。
【００３０】
状態５において、太陽電池Ｓの全発電電力値（ＰＶ）が特定負荷Ｒ１の消費電力値（Ｌｏａｄ１）を下回ると（ただし、太陽電池Ｓの発電電力が予め設定された所定値以上、本実施形態では１００Ｗ以上とする。すなわち、ＰＶ≧１００Ｗの場合）、太陽電池Ｓの全発電電力を特定負荷Ｒ１に供給するために、制御部７Ａは出力指令値Ｐｓｅｔを太陽電池Ｓの全発電電力値（ＰＶ）に設定する。これにより、蓄電システム１Ａは状態６となる。状態６では、太陽電池Ｓの全発電電力がＤＣ／ＡＣインバータ４のＡＣ側から交流出力電力として出力され、特定負荷Ｒ１に供給される。また、状態６では、系統Ｇからの電力も特定負荷Ｒ１に供給される。
【００３１】
状態５および状態６において太陽電池Ｓの発電電力が上記の予め設定された所定値（１００Ｗ）を下回るか、状態６において蓄電池Ｂの残量がさらに不足してくると、蓄電池Ｂを充電するために、制御部７ＡはＤＣ／ＡＣインバータ４を一旦停止させ（状態７）、その後すぐにＤＣ／ＡＣインバータ４をＡＣ／ＤＣ動作させる。これにより、系統Ｇの電力で蓄電池Ｂが充電される（状態８）。
【００３２】
また、蓄電池Ｂの残量が十分にあり、かつ太陽電池Ｓが発電できない場合（状態９の場合）、蓄電池Ｂの放電電力がＤＣ／ＡＣインバータ４のＡＣ側から交流出力電力として出力される。この状態９では、ＤＣ／ＡＣインバータ４の出力指令値Ｐｓｅｔは蓄電池Ｂの放電電力値（ｐｅａｋ）に設定される。
【００３３】
状態９において、逆電力継電器ＲＰＲで逆潮流が検出されると、制御部７Ａは、電磁接触器５、６を開（オフ）状態にするとともにＤＣ／ＤＣコンバータ３およびＤＣ／ＡＣインバータ４を停止させる。これにより、蓄電システム１Ａは状態１０となる。
【００３４】
状態１０に移行してから所定時間（例えば、３００秒）が経過すると、制御部７Ａは、電磁接触器５、６を閉（オン）状態に戻すとともにＤＣ／ＡＣインバータ４をＤＣ／ＡＣ動作させる。これにより、蓄電システム１Ａは状態１１となり、蓄電池Ｂの放電電力がＤＣ／ＡＣインバータ４のＡＣ側から交流出力電力として出力される。
【００３５】
状態１１では、出力指令値Ｐｓｅｔが特定負荷Ｒ１の消費電力値（Ｌｏａｄ１）に設定され、交流出力電力が制限される。このため、状態１１では、状態４と同様に、逆電力継電器ＲＰＲで逆潮流が検出されることはなく、当然ながら、電磁接触器５、６がチャタリングを起こすこともない。
【００３６】
状態１１において蓄電池Ｂの残量が不足してくると、蓄電池Ｂを充電するために、制御部７ＡはＤＣ／ＡＣインバータ４を一旦停止させ（状態７）、その後すぐにＤＣ／ＡＣインバータ４をＡＣ／ＤＣ動作させる。これにより、系統Ｇの電力で蓄電池Ｂが充電される（状態８）。なお、状態８において充電が完了すると、蓄電システム１Ａは待機状態になるか、状態１（または状態９）に移行する。
【００３７】
結局、蓄電システム１Ａでは、逆電力継電器ＲＰＲで逆潮流が検出されて電磁接触器５、６が開くと（状態３、１０）、制御部７Ａが出力指令値Ｐｓｅｔを特定負荷Ｒ１の消費電力値（Ｌｏａｄ１）に設定するので、交流出力電力が制限される。したがって、本実施形態に係る蓄電システム１Ａによれば、逆電力継電器ＲＰＲで再び逆潮流が検出されることがなくなるので、電磁接触器５、６がチャタリングを起こしてしまうのを防ぐことができる。
【００３８】
［第２実施形態］
図３に、本発明の第２実施形態に係る蓄電システム１Ｂを示す。同図に示すように、蓄電システム１Ｂは、第１電力測定手段８の替わりに第２電力測定手段９を備えている点において、第１実施形態に係る蓄電システム１Ａと異なっている。
【００３９】
第２電力測定手段９は、所定時間毎に一般負荷Ｒ２と系統Ｇの間における第２電力線Ｌ２の電力（回生電力）を測定し、測定結果を制御部７Ｂに出力する。
【００４０】
制御部７Ｂは、逆電力継電器ＲＰＲで逆潮流が検出されるまで、第１実施形態における制御部７Ａと同様に、ＤＣ／ＡＣインバータ４の出力指令値Ｐｓｅｔを太陽電池Ｓの全発電電力値（ＰＶ）や蓄電池Ｂの放電電力値（ｐｅａｋ）に設定する。
【００４１】
一方、逆電力継電器ＲＰＲで逆潮流が検出された後は、制御部７Ｂは、逆電力継電器ＲＰＲで再び逆潮流が検出されないように、出力指令値Ｐｓｅｔを変更する。具体的には、制御部７Ｂは、第２電力測定手段９で測定される回生電力がゼロになるように出力指令値Ｐｓｅｔを設定する。これにより、出力指令値Ｐｓｅｔは、特定負荷Ｒ１の消費電力値（Ｌｏａｄ１）と一般負荷Ｒ２の消費電力値（Ｌｏａｄ２）の合計値（Ｌｏａｄ１＋Ｌｏａｄ２）に等しくなる。
【００４２】
結局、蓄電システム１Ｂでは、逆電力継電器ＲＰＲで逆潮流が検出されて電磁接触器５、６が開くと、第２電力測定手段９で測定される回生電力がゼロになるように交流出力電力が制限される。したがって、本実施形態に係る蓄電システム１Ｂによれば、逆電力継電器ＲＰＲで再び逆潮流が検出されることがなくなるので、電磁接触器５、６がチャタリングを起こしてしまうのを防ぐことができる。
【００４３】
また、蓄電システム１Ｂでは、出力指令値Ｐｓｅｔが特定負荷Ｒ１および一般負荷Ｒ２の消費電力値（Ｌｏａｄ１＋Ｌｏａｄ２）に等しくなるので、交流出力電力が制限された状態においても、系統Ｇの電力を使用することなく、太陽電池Ｓおよび蓄電池Ｂの少なくとも一方の電力により特定負荷Ｒ１および一般負荷Ｒ２の消費電力を賄うことができる。
【００４４】
［第３実施形態］
図４に、本発明の第３実施形態に係る蓄電システム１Ｃを示す。同図に示すように、蓄電システム１Ｃは、第２電力測定手段９の替わりに第２逆電力継電器ＲＰＲ２を備えている点において、第２実施形態に係る蓄電システム１Ｂと異なっている。
【００４５】
第１逆電力継電器ＲＰＲ１は、第２実施形態における逆電力継電器ＲＰＲに相当し、系統Ｇに回生される回生電力が予め設定された第１閾値（例えば、５ｋＶＡ）以上のときに、逆潮流が発生しているとして制御部７Ｃに第１検出信号を出力する。第１閾値は、電力会社によって決められた逆潮流の許容値（例えば、契約受電電力の５％）に設定される。
【００４６】
一方、第２逆電力継電器ＲＰＲ２は、回生電力が第１閾値よりも低く設定された第２閾値（例えば、３ｋＶＡ）以上のときに、制御部７Ｃに第２検出信号を出力する。
【００４７】
制御部７Ｃは、第１逆電力継電器ＲＰＲ１から第１検出信号が入力されると、電磁接触器５、６を開（オフ）状態に切り替えるが、第２逆電力継電器ＲＰＲ２から第２検出信号が入力されても、電磁接触器５、６を開（オフ）状態に切り替えることはない。
【００４８】
また、制御部７Ｃは、第１逆電力継電器ＲＰＲ１で逆潮流が検出される（第１検出信号が入力される）までは、第２検出信号が入力されたか否にかかわらず、ＤＣ／ＡＣインバータ４の出力指令値Ｐｓｅｔを太陽電池Ｓの全発電電力値（ＰＶ）や蓄電池Ｂの放電電力値（ｐｅａｋ）に設定する。
【００４９】
一方、第１逆電力継電器ＲＰＲ１で逆潮流が検出された後は、制御部７Ｃは、第２検出信号が入力される度に交流出力電力を予め決められた規則に従って低下させる。具体的には、制御部７Ｃは、第２検出信号が入力されると、出力指令値Ｐｓｅｔを一旦半減させ、その後段階的に出力指令値Ｐｓｅｔを上げていく。出力指令値Ｐｓｅｔを上げていく過程で第２検出信号が入力されると、制御部７Ｃは、再び出力指令値Ｐｓｅｔを半減させる。
【００５０】
結局、蓄電システム１Ｃでは、第１逆電力継電器ＲＰＲ１で逆潮流が検出されて電磁接触器５、６が開くと、回生電力が第２閾値を超えないように交流出力電力が制限される。したがって、本実施形態に係る蓄電システム１Ｃによれば、第１逆電力継電器ＲＰＲ１で再び逆潮流が検出されることがなくなるので、電磁接触器５、６がチャタリングを起こしてしまうのを防ぐことができる。
【００５１】
［変形例］
以上、本発明に係る蓄電システムの好ましい実施形態について説明したが、本発明は上記各実施形態に限定されるものではない。
【００５２】
例えば、上記第１実施形態では、ＤＣ／ＡＣインバータ４のＤＣ／ＡＣ動作として、太陽電池Ｓの発電電力が交流出力電力として出力される動作（状態１）と、蓄電池Ｂの放電電力が交流出力電力として出力される動作（状態９）について説明したが、ＤＣ／ＡＣインバータ４は、当然ながら、太陽電池Ｓの発電電力と蓄電池Ｂの放電電力とを併せて交流出力電力として出力することもできる。
【００５３】
また、上記第１実施形態では、逆電力継電器ＲＰＲで逆潮流が検出されると、制御部７Ａは、電磁接触器５、６を開（オフ）状態にし、所定時間経過後に電磁接触器５、６を閉（オン）状態に戻しているが、これに替えて、電磁接触器５、６を開（オフ）状態にした後、特定負荷Ｒ１への電力供給を確保するために電磁接触器６のみを開（オフ）状態に戻すとともにＤＣ／ＡＣインバータ４をＤＣ／ＡＣ動作させ、所定時間経過後に電磁接触器６を一旦開（オフ）状態にしてから電磁接触器５、６を閉（オン）状態に戻してもよい。
【００５４】
さらに、上記第３実施形態では、制御部７Ｃは、第２検出信号が入力されると出力指令値Ｐｓｅｔを一旦半減させ、その後段階的に上げているが、出力指令値Ｐｓｅｔの下げ方や上げ方は任意に変更できる。
【００５５】
また、上記各実施形態では、発電手段として太陽電池Ｓを用いたが、自然エネルギーを利用して発電することができる風力発電機や水力発電機等を発電手段として用いることもできる。
【００５６】
さらに、上記各実施形態では、２つの電磁接触器５、６が介装されているが、少なくとも電磁接触器５が介装されていれば、パワーコンディショナ装置２Ａ（２Ｂまたは２Ｃ）を系統Ｇから解列できる。なお、解列のための開閉器としては、電磁接触器以外のものを用いてもよい。
【符号の説明】
【００５７】
１Ａ、１Ｂ、１Ｃ    蓄電システム
２Ａ、２Ｂ、２Ｃ    パワーコンディショナ装置
３    ＤＣ／ＤＣコンバータ
４    ＤＣ／ＡＣインバータ
５、６    電磁接触器
７Ａ、７Ｂ、７Ｃ    制御部
８    第１電力測定手段
９    第２電力測定手段
ＲＰＲ    逆電力継電器
ＲＰＲ１    第１逆電力継電器
ＲＰＲ２    第２逆電力継電器
Ｓ    太陽電池
Ｂ    蓄電池
Ｇ    系統
Ｒ１    特定負荷
Ｒ２    一般負荷
【図１】
2014158389.tif 000003
【図２】
2014158389.tif 000004
【図３】
2014158389.tif 000005
【図４】
2014158389.tif 000006
【図５】
2014158389.tif 000007